(57)【要約】【課題】蓄電設備を搭載するＸ線撮像装置における検査スループットの向上。【解決手段】記憶部２５は、複数のＸ線撮影条件を記憶している。撮影可能条件決定部２９は、複数のＸ線撮影条件とバッテリー１１の残留電荷量とを利用して、複数のＸ線撮影条件の中から残留電荷量で撮影可能なＸ線撮影条件（撮影可能条件）を決定する。表示部３１は、決定された撮影可能条件を表示する。【選択図】      図１
2014113319.tif 000002
【特許請求の範囲】
【請求項１】
電源設備からの電力を蓄電する蓄電部と、
Ｘ線を発生するＸ線管と、
前記Ｘ線管からＸ線を発生するための高電圧を発生する高電圧発生部と、
複数のＸ線撮影条件を記憶する記憶部と、
前記複数のＸ線撮影条件と前記蓄電部の残留電荷量とを利用して前記複数のＸ線撮影条件の中から前記残留電荷量で撮影可能なＸ線撮影条件を決定する決定部と、
前記決定されたＸ線撮影条件を表示する表示部と、
を具備するＸ線撮像装置。
【請求項２】
前記決定部は、前記複数のＸ線撮影条件の各々について前記Ｘ線撮影条件による撮影に必要な電荷量を計算し、前記計算された電荷量が前記残留電荷量を下回るＸ線撮影条件を前記複数のＸ線撮影条件の中から決定する、請求項１記載のＸ線撮像装置。
【請求項３】
前記記憶部は、前記複数のＸ線撮影条件の各々について前記Ｘ線撮影条件による撮影に必要な電荷量を関連付けて記憶し、
前記決定部は、前記残留電荷量を下回る電荷量に関連付けられたＸ線撮影条件を前記複数のＸ線撮影条件の中から決定する、
請求項１記載のＸ線撮像装置。
【請求項４】
前記表示部は、前記決定されたＸ線撮影条件を他のＸ線撮影条件に比して強調して表示する、請求項１記載のＸ線撮像装置。
【請求項５】
前記決定部は、前記残留電荷量と前記電源設備の電圧と前記複数のＸ線撮影条件の中の前記決定されたＸ線撮影条件以外のユーザ指定のＸ線撮影条件による撮影に必要な電荷量とに基づいて前記残留電荷量が前記ユーザ指定のＸ線撮影条件による撮影に必要な電荷量に到達するまでの時間を計算し、
前記表示部は、前記計算された時間を表示する、
請求項１記載のＸ線撮像装置。
【請求項６】
前記表示部は、前記決定されたＸ線撮影条件と前記ユーザ指定のＸ線撮影条件と他のＸ線撮影条件とを視覚的に区別して表示する、請求項５記載のＸ線撮像装置。
【請求項７】
前記表示部は、前記計算された時間と前記ユーザ指定のＸ線撮影条件とを並べて表示する、請求項５記載のＸ線撮像装置。
【請求項８】
前記決定部は、前記充電部の充放電の繰り返しに伴う性能の劣化を考慮して前記時間を計算する、請求項５記載のＸ線撮像装置。
【発明の詳細な説明】
【技術分野】
【０００１】
本発明の実施形態は、Ｘ線撮像装置に関する。
【背景技術】
【０００２】
Ｘ線診断装置やＸ線コンピュータ断層撮影装置等のＸ線撮像装置１台のランニングコストを抑えることが術者等のユーザにとって重要である。ランニングコストを抑えるための技術として、Ｘ線診断装置にバッテリー等の蓄電設備を設け、電源のピークカットや夜間充電によりランニングコストを抑えるバッテリーアシスト技術が提案されている。
【０００３】
ピークカット機能付きのシステムの場合、Ｘ線診断装置から出力される容量よりも小さな容量の電源に接続されるため、撮影が連続し、バッテリーの残留電荷量が低下してしまうと、バッテリーが充電されるまでＸ線撮影を実行することができない。そのため、患者の待ち時間が長くなってしまっている。
【発明の概要】
【発明が解決しようとする課題】
【０００４】
目的は、蓄電設備を搭載するＸ線撮像装置において、検査スループットの向上を実現することにある。
【課題を解決するための手段】
【０００５】
本実施形態に係るＸ線撮像装置は、電源設備からの電力を蓄電する蓄電部と、Ｘ線を発生するＸ線管と、前記Ｘ線管からＸ線を発生するための高電圧を発生する高電圧発生部と、複数のＸ線撮影条件を記憶する記憶部と、前記複数のＸ線撮影条件と前記蓄電部の残留電荷量とを利用して前記複数のＸ線撮影条件の中から前記残留電荷量で撮影可能なＸ線撮影条件を決定する決定部と、前記決定されたＸ線撮影条件を表示する表示部と、を具備する。
【図面の簡単な説明】
【０００６】
【図１】本実施形態に係るＸ線診断装置の構成を示す図。
【図２】図１の記憶部に記憶されているＸ線撮影条件テーブルの一例を示す図。
【図３】図１のシステム制御部の制御のもとに行われる検査シーケンスの典型的な流れを示す図。
【図４】図３のステップＳ３において表示部により表示される撮影可能条件の表示例を示す図。
【図５】本実施形態の応用例において表示部により表示される待ち時間の表示例を示す図。
【図６】本実施形態の応用例において撮影可能条件決定部により利用される性能テーブルの一例を示す図。
【発明を実施するための形態】
【０００７】
以下、図面を参照しながら本実施形態に係わるＸ線撮像装置を説明する。
【０００８】
本実施形態に係るＸ線撮像装置は、Ｘ線診断装置とＸ線コンピュータ断層撮影装置とに適用可能である。以下、説明を具体的に行なうため、本実施形態に係るＸ線撮像装置はＸ線診断装置であるものとする。
【０００９】
図１は、本実施形態に係るＸ線診断装置１の構成を示す図である。図１に示すように、本実施形態に係るＸ線診断装置１は、病院の検査室に設置されるタイプ、車載式のタイプ、あるいは、可搬式のタイプのいずれであっても良い。以下、説明を具体的に行なうため、本実施形態に係るＸ線診断装置１は、病院の検査室に設置されるタイプであるとする。
【００１０】
図１に示すように、Ｘ線診断装置１は、システム制御部１０を中枢として、蓄電設備１１、高電圧発生装置１３、支持機構１５、Ｘ線管１７、Ｘ線検出器１９、寝台２１、画像発生部２３、記憶部２５、残留電荷量計測部２７、撮影可能条件決定部２９、表示部３１、及び操作部３３有している。
【００１１】
バッテリー１１は、電源設備１００からの電力を蓄電する電池またはコンデンサである。電源設備１００は、検査室等の施設に据え付けられている。バッテリー１１は、ケーブル等を介して高電圧発生装置１３に接続されている。電源設備１００と高電圧発生装置１３とは、ケーブル等を介して接続可能に設けられている。バッテリー１１と電源設備１００とがケーブル等により接続された場合、バッテリー１１は、電源設備１００からの電力を蓄電する。本実施形態においてバッテリー１１と電源設備１００とは常時接続されているものとする。
【００１２】
高電圧発生装置１３は、電源設備１００とバッテリー１１との少なくとも一方の電力の供給を受けて高電圧を発生する。具体的には、高電圧発生装置１３は、Ｘ線制御部１３１と高電圧発生部１３３とを有している。Ｘ線制御部１３１は、ユーザにより操作部３３を介して指定されたＸ線撮影条件に従って被検体ＰをＸ線撮影するために高電圧発生部１３３を制御する。高電圧発生部１３３は、Ｘ線制御部１３１からの制御に応じて高電圧をＸ線管１７に印加しフィラメント電流をＸ線管１７に供給する。
【００１３】
なお、本実施形態において「Ｘ線撮影」とは、比較的高管電圧のＸ線を単発的に発生する撮像形態のみならず、一般的に透視と呼ばれる、比較的低管電圧のＸ線を連続的に発生する撮像形態も含むものとする。
【００１４】
支持機構１５は、Ｘ線管１７とＸ線検出器１９とを互いに向き合わせて装備している。支持機構１５は、例えば、Ｘ線管１７とＸ線検出器１９とを回動自在に支持する。支持機構１５は、サーボモータ等の駆動部１５１を内蔵している。駆動部１５１は、ユーザによる操作部３３を介した指示に従って所望位置まで回動する。なお支持機構１５は、床置きタイプでも良いし、天井吊りタイプであってもどちらでも良い。
【００１５】
寝台２１には被検体（患者）Ｐが載置される。寝台２１は、患者Ｐの撮影部位が撮影領域に含まれるように位置決めされる。
【００１６】
Ｘ線管１７は、高電圧発生部１３３からの高電圧の印加とフィラメント電流の供給とを受けてＸ線を発生する。
【００１７】
Ｘ線検出器１９は、Ｘ線管１７から発生され患者Ｐを透過したＸ線を検出する。例えば、Ｘ線検出器１９は、フラットパネルディスプレイ（ＦＰＤ）により実現される。Ｘ線検出器１９は、２次元上に配列された複数の検出素子を有している。各検出素子は、Ｘ線管１７から発生されたＸ線を検出し、検出されたＸ線の強度に応じた電気信号を生成する。生成された電気信号は、画像発生部２３に供給される。
【００１８】
画像発生部２３は、Ｘ線検出器１９からの電気信号に基づいて被検体Ｐに関するＸ線画像のデータを発生する。Ｘ線画像のデータは、システム制御部１０を介して記憶部２５や表示部３１に供給される。
【００１９】
記憶部２５は、画像発生部２３からのＸ線画像のデータを記憶する。また記憶部２５は、複数のＸ線撮影条件を記憶している。Ｘ線撮影条件は、管電圧［ｋＶ］、管電流［ｍＡ］、及びＸ線継続時間［ｍｓ］の組み合わせにより規定される。本実施形態においてＸ線撮影条件は、アナトミカルプログラムの形式で記憶されている。この場合、各Ｘ線撮影条件は、撮影部位の種類及び大きさの組み合わせに関連付けてテーブル形式で記憶されている。以下、このテーブルをＸ線撮影条件テーブルと呼ぶことにする。
【００２０】
図３は、記憶部２５に記憶されているＸ線撮影条件テーブルを示す図である。図３に示すように、Ｘ線撮影条件テーブルは、撮影部位の種類（部位名）及び大きさ（サイズ）の組み合わせにＸ線撮影条件が関連付けられている。撮影部位の種類としては、例えば、胸部、腹部、手、足などが挙げられる。撮影部位の大きさは、例えば、大、中、小、幼児などに分類される。Ｘ線撮影条件テーブルにおいて、例えば、撮影部位の種類が「足」で撮影部位のサイズが「中」の場合、Ｘ線撮影条件は、管電圧７０ｋＶ、管電流５０ｍＡ、Ｘ線継続時間５０ｍｓである。撮影部位の種類及びサイズ、Ｘ線撮影条件は、ユーザにより操作部３３を介して任意の値に設定可能である。
【００２１】
残留電荷量計測部２７は、バッテリー１１に充電されている電荷量（以下、残留電荷量と呼ぶことにする。）を計測する。計測方法は、既存の方法が用いられれば良い。計測された残留電荷量のデータは、撮影可能条件決定部２９に供給される。
【００２２】
撮影可能条件決定部２９は、記憶部２５に記憶されている複数のＸ線撮影条件とバッテリー１１の残留電荷量とを利用して、これら複数のＸ線撮影条件の中からバッテリー１１の残留電荷量で撮影可能なＸ線撮影条件（以下、撮影可能条件と呼ぶことにする。）を決定する。撮影可能条件のデータは、システム制御部１０を介して表示部３１に供給される。
【００２３】
表示部３１は、種々の情報を表示機器に表示する。例えば、表示部３１は、撮影可能条件決定部２９により決定された撮影可能条件を表示する。また、表示部３１は、画像発生部８１からのＸ線画像やＸ線撮影条件テーブルなどを表示することも可能である。表示機器としては、ＣＲＴディスプレイや、液晶ディスプレイ、有機ＥＬディスプレイ、プラズマディスプレイ等が適宜利用可能である。
【００２４】
操作部３３は、ユーザから入力機器を介して各種指令や情報入力を受け付け、受付けた指令や情報に応じた操作信号をシステム制御部１０に供給する。入力機器としては、例えば、キーボードやマウス、ボタン、スイッチ、タッチキーパネル等が適用可能である。
【００２５】
システム制御部１０は、本実施形態に係るＸ線診断装置１の中枢として機能する。具体的には、システム制御部１０は、本実施形態に係る動作プログラムを実行し、検査スループット向上を可能とする検査シーケンスを実行する。
【００２６】
次に、システム制御部１０の制御のもとに実行されるＸ線診断装置１の動作例について説明する。
【００２７】
図３は、システム制御部１０の制御のもとに行われる検査シーケンスの典型的な流れを示す図である。なお、本検査シーケンスの実行時においてバッテリーは、完全には充電されておらず、充電中であるものとする。
【００２８】
図３に示すように、まず、システム制御部１０は、残留電荷量計測部２７に計測処理を行わせる（ステップＳ１）。ステップＳ１において残留電荷量計測部２７は、バッテリー１１の残留電荷量を計測する。計測された残留電荷量のデータは、撮影可能条件決定部２９に供給される。
【００２９】
ステップＳ１が行われるとシステム制御部１０は、撮影可能条件決定部２９に決定処理を行わせる（ステップＳ２）。ステップＳ２において撮影可能条件決定部２９は、ステップＳ１において計測された残留電荷量とＸ線撮影条件テーブルに規定された複数のＸ線撮影条件とを利用して撮影可能条件を決定する。前述のようにＸ線撮影条件は、管電圧、管電流、及びＸ線継続時間により規定される。撮影可能条件決定部２９は、管電圧、管電流、及びＸ線継続時間の組み合わせに基づいて当該Ｘ線撮影条件でＸ線撮影が行われた場合における消費電荷量を計算する。
【００３０】
バッテリーアシスト機能を用いる場合、高電圧発生装置１３は、バッテリー１１に充電された電荷と電源設備１００からの電荷とを用いて作動する。この場合、撮影可能条件決定部２９は、消費電荷量と、バッテリー１１の残留電荷量及び電源設備１００から供給される電荷量の合計電荷量とを比較して撮影可能条件を決定する。具体的には、撮影可能条件決定部２９は、ステップＳ１において計測された残留電荷量と電源設備１００から供給される電荷量との合計電荷量を各Ｘ線撮影条件の消費電荷量と比較し、合計電荷量が消費電荷量を上回るＸ線撮影条件を特定し、特定されたＸ線撮影条件を撮影可能条件に設定する。
【００３１】
Ｘ線診断装置１が可搬式の場合など高電圧発生装置１３がバッテリー１１の残留電荷のみを用いる場合、撮影可能条件決定部２９は、消費電荷量とバッテリー１１の残留電荷量とを比較してＸ線撮影テーブルに規定された複数のＸ線撮影条件の中から撮影可能条件を決定する。具体的には、撮影可能条件決定部２９は、ステップＳ１において計測された残留電荷量を各Ｘ線撮影条件の消費電荷量と比較し、残留電荷量が消費電荷量を上回るＸ線撮影条件を特定し、特定されたＸ線撮影条件を撮影可能条件に設定する。
【００３２】
なお、消費電荷量は、予め計算されていても良いし、ステップＳ２毎にＸ線撮影条件に基づいて計算されても良い。予め消費電荷量を計算する場合、消費電荷量は当該Ｘ線撮影条件に関連付けて記憶部２５に記憶されると良い。また、撮影可能条件は、一つであっても複数であっても良く、また、残留電荷量によってはゼロの場合もあり得る。
【００３３】
上述のように、Ｘ線撮影条件は、撮影部位の種類及びサイズに関連付けられている。従って、ステップＳ２において撮影可能条件決定部２９は、複数の撮影部位の種類及びサイズの中から、撮影可能な撮影部位の種類及びサイズを決定しているといえる。
【００３４】
ステップＳ２が行われるとシステム制御部１０は、表示部３１に表示処理を行わせる（ステップＳ３）。ステップ３において表示部３１は、ステップＳ２において決定された撮影可能条件を表示機器に表示する。
【００３５】
図４は、表示部３１による撮影可能条件の表示例を示す図である。図４に示すように、表示部３１は、Ｘ線撮影条件テーブルの形態で複数のＸ線撮影条件を表示する。表示部３１は、複数のＸ線撮影条件のうちの撮影可能条件を他のＸ線撮影条件（以下、撮影不能条件と呼ぶことにする。）から視覚的に区別して表示する。視覚的に区別して表示する方法としては、例えば、撮影可能条件を青で表示し、撮影不能条件を赤で表示する、というように撮影可能条件と撮影不能条件とを異なる色で表示する方法がある。他の表示方法としては、例えば、撮影可能条件に限定してハイライト表示しても良い。換言すれば、表示部３１は、撮影可能条件に対応する撮影部位の種類及びサイズを、他のＸ線撮影条件に対応する撮影部位の種類及びサイズとは視覚的に区別して表示する。
【００３６】
また、表示部３１は、撮影可能条件のみを表示しても良い。このように撮影可能条件が表示されることで、ユーザは、バッテリー１１の現在の残留電荷量で撮影可能なＸ線撮影条件を一目瞭然に把握することができる。表示部３１は、Ｘ線撮影条件テーブルとともに残留電荷量を表示しても良い。例えば、表示部３１は、残留電荷量を複数の段階で示すマークＭａを表示すると良い。なお、残留電荷量は、マークＭａではなく、数字で表示されても良い。残留電荷量が表示されることで、ユーザは、撮影可能条件の信憑性を図ることができる。
【００３７】
ステップＳ３が行われるとシステム制御部１０は、ユーザにより操作部３３を介して撮影可能条件が選択されることを待機する（ステップＳ４）。ユーザは、表示部３１により表示されている撮影可能条件の中に実行したいＸ線撮影条件がある場合、そのＸ線撮影条件（撮影可能条件）を操作部３３を介して選択する。換言すれば、ユーザは、撮影可能条件に対応する撮影部位の種類及びサイズを選択する。選択された撮影可能条件（換言すれば、撮影部位の種類及びサイズ）のデータは、システム制御部１０に供給される。
【００３８】
ステップＳ４が行われるとシステム制御部１０は、高電圧発生装置１３にＸ線撮影を行わせる（ステップＳ５）。ステップＳ５において高電圧発生装置１３のＸ線制御部１３１は、ステップＳ４において選択された撮影可能条件に従って高電圧発生部１３３を制御する。具体的には、Ｘ線制御部１３１は、ステップＳ４において選択された撮影可能条件（換言すれば、撮影部位の種類及びサイズ）の管電圧値及び管電流値をＸ線継続時間だけ維持するように高電圧発生部１３を制御する。高電圧発生部１３３は、Ｘ線制御部１３１による制御に従って、高電圧をＸ線管１７に印加しフィラメント電流をＸ線管１７に供給する。高電圧発生部１３３は、ステップＳ４において選択された撮影可能条件のＸ線継続時間だけＸ線管１７に高電圧を印加する。これによりＸ線管は、ステップＳ４において選択された撮影可能条件に応じたＸ線を出力することができる。出力されたＸ線は、Ｘ線検出器１９により検出される。画像発生部２３は、Ｘ線検出器１９から電気信号を読み出して患者Ｐに関するＸ線画像のデータを発生する。発生されたＸ線画像は、表示部３１に表示される。
【００３９】
ステップＳ４が行われるとシステム制御部１０は、本実施形態に係る検査シーケンスを終了する。
【００４０】
なお、ステップＳ２において撮影可能条件がゼロであった場合、表示部３１は、Ｘ線撮影条件テーブルにより規定されている複数のＸ線撮影条件を撮影不能条件として表示しても良いし、「撮影可能条件がありませんでした」等の撮影可能条件がゼロである旨を表示しても良い。ステップＳ２において撮影可能条件がゼロであった場合、システム制御部１０は、ステップＳ３の実行後、再びステップＳ１に戻る。
【００４１】
また、上記の動作例においては、撮影可能条件の探索開始指示がなされたことを契機として、残留電荷量計測部２７によりバッテリー１１の残留電荷量が計測されるとした。しかしながら、本実施形態はこれに限定されない。例えば、残留電荷量計測部２７は、撮影可能条件の探索開始指示の有無にかかわらず、所定時間毎に残留電荷量を計測するようにしても良い。この場合、撮影可能条件決定部２９は、ステップＳ２において、最新の残留電荷量を用いて撮影可能条件を決定すればよい。
【００４２】
上記の説明の通り、本実施形態に係るＸ線診断装置１は、バッテリー１１、記憶部２５、撮影可能条件決定部２９、及び表示部３１を有している。記憶部２５は、複数のＸ線撮影条件を記憶している。撮影可能条件決定部２９は、複数のＸ線撮影条件とバッテリー１１の残留電荷量とを利用して、複数のＸ線撮影条件の中から残留電荷量で撮影可能なＸ線撮影条件（撮影可能条件）を決定する。表示部３１は、決定された撮影可能条件を表示する。
【００４３】
上記構成により、Ｘ線診断装置１は、バッテリー１１の充電が完了していない場合であっても、Ｘ線撮影条件テーブルにより規定されている複数のＸ線撮影条件のうちの撮影可能条件をユーザに明示することができる。明示中の撮影可能条件の中からユーザが撮影対象のＸ線撮影条件を指定することにより、Ｘ線診断装置１は、バッテリー１１の充電が完了していない場合であっても、指定されたＸ線撮影条件でＸ線撮影を実行することができる。このように、本実施形態に係るＸ線診断装置１は、バッテリー１１の充電が完了するまで待機することなく、当該時点の残留電荷量で撮影可能なＸ線撮影条件でＸ線撮影を実行することができる。従って、患者の待ち時間を大幅に削減することができる。
【００４４】
かくして本実施形態によれば、蓄電設備を搭載するＸ線撮像装置において、検査スループットの向上が実現する。
【００４５】
［応用例］
上記の実施形態において、撮影可能条件の中に実行したいＸ線撮影条件が無い場合がある。この場合、ユーザや患者は当該Ｘ線撮影条件が実行可能になるまで待機することとなる。しかし、ユーザや患者は待ち時間が分からないため待ち時間を有効に活用することができない。応用例に係るＸ線診断装置１は、このような待ち時間をＸ線撮影条件毎に表示する。以下、応用例に係るＸ線診断装置について説明する。なお以下の説明において、本実施形態と略同一の機能を有する構成要素については、同一符号を付し、必要な場合にのみ重複説明する。
【００４６】
図５は、応用例に係るＸ線撮影条件テーブルの表示例を示す図である。図５に示すように、ユーザは、図３のステップＳ３において、実行候補の撮影不能条件を操作部３３を介して選択する。以下、選択された撮影不能条件を選択条件と呼ぶことにする。表示部３１は、選択条件を他の撮影不能条件と撮影可能条件とは視覚的に区別して表示する。例えば、表示部３１は、選択条件をオレンジ、他の撮影不能条件を赤、撮影可能条件を青、というように選択条件と撮影不能条件と撮影可能条件とを異なる色で表示する。なお、視覚的に区別して表示する方法は、上述の通り、色で区別する他、ハイライト表示しても良いし、異なる視覚効果で表示しても良い。図５に示すように、表示部３１は、選択条件の待ち時間を表示する。
【００４７】
待ち時間は、撮影可能条件決定部２９により計算される。撮影可能条件決定部２９は、バッテリー１１の残留電荷量と電源設備１００の電圧と選択条件の消費電荷量とに基づいて、バッテリー１１の残留電荷量が選択条件の消費電荷量に到達するまでの予測時間を繰り返し計算する。表示部３１は、計算された予測時間を、選択条件とともに繰り返し表示する。
【００４８】
待ち時間がゼロに到達した場合、すなわち、残留電荷量が選択条件の消費電荷量に到達した場合、当該選択条件は撮影可能条件決定部２９により撮影可能条件に設定される。
【００４９】
なおバッテリー１１は、充放電を繰り返すたびに劣化する。バッテリー１１の劣化が増すにつれて充電速度が遅延する場合がある。撮影可能条件決定部２９は、充放電の繰り返しに伴うバッテリー１１の劣化を考慮して予測時間を計算しても良い。この場合、撮影可能条件決定部２９は、性能テーブルを利用することとなる。
【００５０】
図６は、性能テーブルの一例を示す図である。図６に示すように、性能テーブルは、縦軸が性能［％］により規定され、横軸が充放電回数に規定されたグラフである。図６に示すように、バッテリー１１は、充放電を何度も繰り返すと性能が次第に劣化する。充放電の回数は、撮影可能条件決定部２９により計測され、記憶部２５に記憶される。性能テーブルは、予めバッテリー毎に作成され、記憶部２５により記憶されている。
【００５１】
性能テーブルを利用して予測時間を計算する場合、撮影可能条件決定部２９は、まず、使用中のバッテリー１１に対応する性能テーブルを記憶部１５から読み出す。撮影可能条件決定部２９は、現在の充放電回数に対応する性能を性能テーブルから特定し、特定された性能を電源設備１００の電圧に乗じる。撮影可能条件決定部２９は、乗算後の電圧とバッテリー１１の残留電荷量と選択条件の消費電荷量とに基づいて、バッテリー１１の残留電荷量が選択条件の消費電荷量に到達するまでの予測時間を繰り返し計算する。表示部３１は、計算された予測時間を、選択条件とともに繰り返し表示する。このように充放電の繰り返しに伴うバッテリー１１の劣化を考慮することにより、より正確な予測時間をユーザに提供することができる。
【００５２】
このように、本実施形態の応用例に係るＸ線診断装置１は、撮影不能条件が実行可能になるまでの待ち時間を計算して表示する。これによりユーザは、選択条件が撮影可能になるまでの時間を知ることできるので、待ち時間を利用して、例えば、撮影体位を決定することなどができ、待ち時間を有効に使用することができる。これにより、検査スループットがさらに向上する。なお、Ｘ線診断装置１が可搬式タイプの場合、構造的に高電圧発生装置１３と電源設備１００とを接続することができない。従って、従って応用例に係るＸ線診断装置１としては可搬式タイプのものが除かれる。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００５４】
１…Ｘ線診断装置、１１…バッテリー、１３…高電圧発生装置、１５…支持機構、１７…Ｘ線管、１９…Ｘ線検出器、２１…寝台、２３…画像発生部、２５…記憶部、２７…残留電荷量計測部、２９…撮影可能条件決定部、３１…表示部、３３…操作部、１００…電源設備、１３１…Ｘ線制御部、１３３…高電圧発生部、１５１…駆動部
【図１】
2014113319.tif 000003
【図２】
2014113319.tif 000004
【図３】
2014113319.tif 000005
【図４】
2014113319.tif 000006
【図５】
2014113319.tif 000007
【図６】
2014113319.tif 000008